(57)【特許請求の範囲】
【請求項１】
媒体を支持可能な支持面と、
前記支持面に支持される前記媒体の一部を前記支持面に対して陥没させることが可能な陥没部と、
前記陥没部における第１の領域の状態を変更することで、前記陥没部の大きさを変更可能な調整部と、を備え、
前記調整部は、前記調整部で前記媒体を支持可能なクローズ状態と、前記媒体を陥没させることが可能なオープン状態と、のうち一方から他方に前記第１の領域の状態を変更するものであり、
前記陥没部は、底部を有さない空間となっており、
前記第１の領域が前記オープン状態であるとき、前記底部を有さない空間に前記媒体が陥没させられることを特徴とする媒体支持ユニット。
【請求項２】
請求項１に記載の媒体支持ユニットにおいて、
前記陥没部は、前記調整部により状態を変更不能であり、前記底部を有さない空間に前記媒体を陥没させることが可能なオープン状態となっている第２の領域を有することを特徴とする媒体支持ユニット。
【請求項３】
請求項２に記載の媒体支持ユニットにおいて、
前記陥没部は、前記第１の領域と前記第２の領域とが連続して形成されていることを特徴とする媒体支持ユニット。
【請求項４】
請求項１から３のいずれか１項に記載の媒体支持ユニットにおいて、
前記支持面は、第１の支持面と、前記第１の支持面と離間した第２の支持面と、を有し、
前記陥没部は、前記第１の支持面と前記第２の支持面との間に形成されていることを特徴とする媒体支持ユニット。
【請求項５】
請求項１から４のいずれか１項に記載の媒体支持ユニットにおいて、
前記調整部は、前記陥没部の大きさを複数の大きさに変更可能であることを特徴とする媒体支持ユニット。
【請求項６】
請求項５に記載の媒体支持ユニットにおいて、
前記調整部は、第１の調整ユニットと第２の調整ユニットとを有することを特徴とする媒体支持ユニット。
【請求項７】
請求項６に記載の媒体支持ユニットにおいて、
前記第１の調整ユニットと前記第２の調整ユニットとは、少なくとも大きさ又は形状が異なることを特徴とする媒体支持ユニット。
【請求項８】
請求項１から７のいずれか１項に記載の媒体支持ユニットにおいて、
前記調整部は、前記陥没部に対して取り付け及び取り外しすることにより、前記陥没部の大きさを変更可能であることを特徴とする媒体支持ユニット。
【請求項９】
請求項１から７のいずれか１項に記載の媒体支持ユニットにおいて、
前記調整部は、前記陥没部に対する位置を変更することにより、前記陥没部の大きさを変更可能であることを特徴とする媒体支持ユニット。
【請求項１０】
請求項８に記載の媒体支持ユニットにおいて、
前記調整部は、前記調整部が取り付けられた際に前記媒体を支持する面となる調整面を有し、
前記調整面は、前記調整部が取り付けられた際に前記支持面よりも下側に位置することを特徴とする媒体支持ユニット。
【請求項１１】
請求項１から１０のいずれか１項に記載の媒体支持ユニットにおいて、
前記調整部は、磁石を用いて固定される構成であることを特徴とする媒体支持ユニット。
【請求項１２】
請求項１から１１のいずれか１項に記載の媒体支持ユニットにおいて、
前記陥没部は、前記媒体が衣服である場合に、衣服の肉厚部分を陥没させることが可能に構成されていることを特徴とする媒体支持ユニット。
【請求項１３】
請求項１から１２のいずれか１項に記載の媒体支持ユニットと、
前記媒体支持ユニットに支持された前記媒体に記録可能な記録部と、を備えることを特徴とする記録装置。
【請求項１４】
媒体を支持可能な支持面と、前記支持面に支持される前記媒体の一部を前記支持面に対して陥没させることが可能な陥没部と、前記陥没部における第１の領域の状態を変更することで、前記陥没部の大きさを変更可能な調整部と、を備え、前記調整部は、前記調整部で前記媒体を支持可能なクローズ状態と、前記媒体を陥没させることが可能なオープン状態と、のうち一方から他方に前記第１の領域の状態を変更するものであり、前記陥没部は、底部を有さない空間となっており、前記第１の領域が前記オープン状態であるとき、前記底部を有さない空間に前記媒体が陥没させられる媒体支持ユニットにおける媒体支持方法であって、
前記媒体に応じて、前記陥没部における第１の領域の状態を、前記クローズ状態と前記オープン状態とのうち一方から他方に変更することで、前記陥没部の大きさを変更することを特徴とする媒体支持方法。
【発明の詳細な説明】
【技術分野】
【０００１】
本発明は、媒体支持ユニット、記録装置及び媒体支持方法に関する。
【背景技術】
【０００２】
従来から、媒体を支持する媒体支持ユニットが使用されている。  
例えば、特許文献１には、Ｔシャツ等をセット可能なプレートを有する媒体支持ユニットを備えた記録装置が開示されている。
【先行技術文献】
【特許文献】
【０００３】
【特許文献１】特開２０１３−６３６３７号公報
【発明の概要】
【発明が解決しようとする課題】
【０００４】
ここで、Ｔシャツ等の衣服には、ポケットやボタンが構成された部分や、生地の折り返し部分などの、肉厚部分がある。このため、媒体としての衣服を支持可能な媒体支持ユニットを備えた記録装置等においては、このような肉厚部分を支持面にそのまま載せると該肉厚部分が盛り上がり、例えば記録装置の記録部などに接触する虞があった。  
そこで、特許文献１の記録装置はこのような肉厚部分に対応した凹部をプレートに構成し、該肉厚部分が記録部などに接触する虞を低減可能な構成としている。  
一方、近年、様々な形状の衣服などの媒体に記録などを行うことが要求されていることから、様々な大きさや形状の肉厚部分に対応することが要求されている。
【０００５】
そこで、本発明の目的は、肉厚部分を備える媒体の肉厚部分の大きさや形状に応じて、支持面に支持された媒体の盛り上がりを抑制することを目的にする。
【課題を解決するための手段】
【０００６】
上記課題を解決するための本発明の第１の態様の媒体支持ユニットは、媒体を支持可能な支持面と、前記支持面に支持される前記媒体の一部を前記支持面に対して陥没させることが可能な陥没部と、前記陥没部における第１の領域の状態を変更することで、前記陥没部の大きさを変更可能な調整部と、を備えることを特徴とする。
【０００７】
本発明の第２の態様の媒体支持ユニットは、前記陥没部は、前記調整部により状態を変更可能な前記第１の領域と、前記調整部により状態を変更不能な第２の領域と、を有することを特徴とする。
【０００８】
本発明の第３の態様の媒体支持ユニットは、前記第２の態様において、前記陥没部は、前記第１の領域と前記第２の領域とが連続して形成されていることを特徴とする。
【０００９】
本発明の第４の態様の媒体支持ユニットは、前記第１から第３のいずれか１つの態様において、前記支持面は、第１の支持面と、前記第１の支持面と離間した第２の支持面と、を有し、前記陥没部は、前記第１の支持面と前記第２の支持面との間に形成されていることを特徴とする。
【００１０】
本発明の第５の態様の媒体支持ユニットは、前記第１から第４のいずれか１つの態様において、前記調整部は、前記陥没部の大きさを複数の大きさに変更可能であることを特徴とする。
【００１１】
本発明の第６の態様の媒体支持ユニットは、前記第５の態様において、前記調整部は、第１の調整ユニットと第２の調整ユニットとを有することを特徴とする。
【００１２】
本発明の第７の態様の媒体支持ユニットは、前記第６の態様において、前記第１の調整ユニットと前記第２の調整ユニットとは、少なくとも大きさ又は形状が異なることを特徴とする。
【００１３】
本発明の第８の態様の媒体支持ユニットは、前記第１から第７のいずれか１つの態様において、前記調整部は、前記陥没部に対して取り付け及び取り外しすることにより、前記陥没部の大きさを変更可能であることを特徴とする。
【００１４】
本発明の第９の態様の媒体支持ユニットは、前記第１から第７のいずれか１つの態様において、前記調整部は、前記陥没部に対する位置を変更することにより、前記陥没部の大きさを変更可能であることを特徴とする。
【００１５】
本発明の第１０の態様の媒体支持ユニットは、前記第１から第９のいずれか１つの態様において、前記陥没部の少なくとも一部は、貫通していることを特徴とする。
【００１６】
本発明の第１１の態様の媒体支持ユニットは、前記第１から第９のいずれか１つの態様において、前記陥没部の少なくとも一部は、底部を有することを特徴とする。
【００１７】
本発明の第１２の態様の媒体支持ユニットは、前記第１から第１１のいずれか１つの態様において、前記陥没部は、前記媒体が衣服である場合に、衣服の肉厚部分を陥没させることが可能に構成されていることを特徴とする。
【００１８】
本発明の第１３の態様の記録装置は、前記第１から第１２のいずれか１つの態様の媒体支持ユニットと、前記媒体支持ユニットに支持された前記媒体に記録可能な記録部と、を備えることを特徴とする。
【００１９】
本発明の第１４の態様の媒体支持方法は、媒体を支持可能な支持面と、前記支持面に支持される前記媒体の一部を前記支持面に対して陥没させることが可能な陥没部と、を備える媒体支持ユニットにおける媒体支持方法であって、前記媒体に応じて、前記陥没部の大きさを、該陥没部の第１の領域の大きさを調整することで、調整することを特徴とする。
【発明の効果】
【００２０】
本発明によれば、肉厚部分を備える媒体の肉厚部分の大きさや形状に応じて、支持面に支持された媒体の盛り上がりを抑制することができる。
【図面の簡単な説明】
【００２１】
【図１】本発明の実施例１に係る記録装置の概略斜視図。
【図２】本発明の実施例１に係る記録装置の概略正面図。
【図３】本発明の実施例１に係る媒体支持ユニットの概略斜視図。
【図４】本発明の実施例１に係る媒体支持ユニットの概略斜視図。
【図５】本発明の実施例１に係る媒体支持ユニットの概略平面図。
【図６】本発明の実施例１に係る媒体支持ユニットの要部の概略斜視図。
【図７】本発明の実施例１に係る媒体支持ユニットの要部の概略斜視図。
【図８】本発明の実施例１に係る媒体支持ユニットの要部の概略側面図。
【図９】本発明の実施例１に係る媒体支持ユニットの概略側面断面図。
【図１０】本発明の実施例１に係る媒体支持ユニットの要部の概略平面図。
【図１１】本発明の実施例２に係る媒体支持ユニットの概略平面図。
【発明を実施するための形態】
【００２２】
以下に、本発明の実施例に係る記録装置について、添付図面を参照して詳細に説明する。  
また、下記の実施例では媒体支持ユニットを備えた記録装置を用いて説明している。しかし、本発明の媒体支持ユニットは、記録装置に備えられた媒体支持ユニットに限定されるわけではない。  
また、下記の実施例では記録装置として記録ヘッドからインクを吐出して記録を行うインクジェット記録装置を用いて説明している。しかし、本発明の記録装置は、インクジェット記録装置に限定されるわけではない。
【００２３】
［実施例１］（図１〜図１０）  
最初に、本発明の実施例１に係る記録装置について説明する。  
図１は本発明の実施例１に係る記録装置１の概略斜視図であり、図２は本発明の実施例１に係る記録装置１の概略正面図である。  
本実施例の記録装置１は、媒体支持ユニット２における媒体支持部であるトレイ４に支持された媒体を搬送方向Ａに搬送する媒体搬送部３を備えている。また、トレイ４はステージ５に載置された状態で固定されている。トレイ４はステージ５と共に、回転レバー６を回転させることにより、高さ方向Ｃに移動する。
【００２４】
また、記録装置１の本体内部には記録部としての記録ヘッド（不図示）が備えられている。そして、本実施例の記録装置１は、搬送方向Ａと交差する走査方向Ｂに記録部としての記録ヘッドを往復移動させながら、記録ヘッドからトレイ４に支持された媒体にインクを吐出させて所望の画像を形成する。なお、本実施例の記録装置１は、図１中の手前側（左下方向）がトレイ４への媒体のセット位置であり、図１中の奥側（右上方向）の記録開始位置まで媒体をセットしたトレイ４を移動した後、図１中の手前側にトレイ４を移動しながら記録する。
【００２５】
次に、本実施例の記録装置１の要部である媒体支持ユニット２について説明する。  
図３は本実施例の媒体支持ユニット２を斜め上方から見た概略斜視図であり、図４は本実施例の媒体支持ユニット２を斜め下方から見た概略斜視図であり、図５は本実施例の媒体支持ユニット２の概略平面図である。  
本実施例の媒体支持ユニット２は、記録装置１に対して着脱可能である。また、媒体支持ユニット２は、媒体を支持可能な支持面７を有するトレイ４を備えている。つまり、媒体支持ユニット２は、媒体を支持可能な支持面７を備えている。また、媒体支持ユニット２は、トレイ４を載置するステージ５、媒体の支持面積を調整可能な調整部８、支持面７に支持された媒体を外縁部において抑え込む外枠部９、記録装置１から取り外された際の設置部である脚部１０を備えている。
【００２６】
また、本実施例の媒体支持ユニット２は、支持面７に支持される媒体の一部を支持面７に対して陥没させることが可能な陥没部１１を備えている。そして、調整部８を着脱することで、陥没部１１の大きさを調整可能な構成になっている。なお、陥没部１１の大きさを「調整可能」であるとは、陥没部１１の大きさを所望の大きさに「変更可能」である、と言い換えることもできる。より具体的には、調整部８を着脱して該陥没部１１における第１の領域１１ａの状態を変更することで、陥没部１１の大きさを変更可能な構成になっている。第１の領域１１ａは、調整部８で媒体を支持可能なクローズ状態と、媒体を陥没させることが可能なオープン状態と、に状態を変えることができる。まとめると、媒体支持ユニット２は、陥没部１１における第１の領域１１ａの状態を変更することで、陥没部１１の大きさを変更可能な調整部８を備えている。  
このため、肉厚部分を備える媒体の肉厚部分の大きさや形状に応じて、支持面に支持された媒体の盛り上がりを抑制することができる構成になっている。  
なお、「肉厚部分」とは、媒体における他の部分と比べて厚みの大きい部分を意味する。例えば、媒体が衣服である場合においては、襟部分、ポケット部分、ボタン部分、ファスナー部分、生地の重複部分（身頃同士の接続部分や、裾の折り返し部分）などが該当する。
【００２７】
また、本実施例の媒体支持ユニット２における陥没部１１は、調整部８により状態を変更可能な第１の領域１１ａと、調整部８により状態を変更不能な第２の領域１１ｂと、を有している。換言すれば、第１の領域１１ａは、前述にオープン状態とクローズ状態とに状態を変更可能であり、第２の領域１１ｂは、常にオープン状態である。すなわち、陥没部１１は、常に媒体の一部を支持面７に対して陥没させることが可能な第２の領域１１ｂを有している。このため、本実施例の媒体支持ユニット２は、ポロシャツなどの形状がある程度限定されている媒体を支持する際、該媒体の肉厚部分を第２の領域１１ｂに対応させるなどすることで、媒体の支持位置及び該媒体に記録を行う場合等における記録位置などを簡単に合わせることができる。  
また、本実施例のトレイ４は、ワイシャツやポロシャツの襟などを下方に退避する（盛り上がりを抑制する）ことができるように切欠き部１２が設けられている。
【００２８】
また、第１の領域１１ａと第２の領域１１ｂとは連続して形成されているので、常に媒体を陥没させることが可能な第２の領域１１ｂに連続して第１の領域１１ａも媒体を陥没させることが可能な状態とすることで、連続した大きな肉厚部分に対応可能である。  
例えば、肉厚部分の小さいポロシャツを使用する場合は調整部８を取り付けて陥没部１１の面積を小さくした状態で媒体支持ユニット２に支持させ、肉厚部分の大きいワイシャツを使用する場合は調整部８を取り外して陥没部１１の面積を大きくした状態で媒体支持ユニット２に支持させることができる。
【００２９】
また、本実施例のトレイ４は、第１のトレイ４ａと第２のトレイ４ｂとで構成されており、支持面７は、第１のトレイ４ａに設けられる第１の支持面７ａと、第２のトレイ４ｂに設けられる第２の支持面７ｂとで構成されている。そして、第１の支持面７ａと第２の支持面７ｂとは離間して設けられ、陥没部１１は第１の支持面７ａと第２の支持面７ｂとの間に形成されている。  
このような構成により、本実施例の陥没部１１は、第１の支持面７ａと第２の支持面７ｂとの間に大きく形成されており、ワイシャツのボタン形成部分などの連続した大きい肉厚部分に対応可能になっている。例えば、フルジップ式のファスナーのように、媒体を縦断するような肉厚部分がある媒体でも、調整部８を取り外し、離間している２つの支持面（第１の支持面７ａと第２の支持面７ｂ）を用いる構成とすれば、対応可能である。また、ハーフジップ式のファスナーのように、媒体を縦断しない肉厚部分がある媒体は、媒体調整部８を取り付けた状態で、３つの支持面（第１の支持面７ａ、第２の支持面７ｂ、及び調整部８）によって媒体を支持することができる。
【００３０】
上記のように、本実施例の媒体支持ユニット２は媒体としての衣服を支持可能であり、陥没部１１は、媒体が衣服である場合に、衣服の肉厚部分を陥没させることが可能に構成されている。このため、本実施例の媒体支持ユニット２は、襟、ボタン、ジッパー、ポケット及び生地の折り返しなどの肉厚部分を有する衣服を媒体として用いても、該肉厚部分に対応する媒体の盛り上がりを抑制することが可能である。
【００３１】
本実施例の媒体支持ユニット２において、陥没部１１は底部を有さない空間となっている。そのため、支持面７の一部を他の面より薄くして調整部８とする構成と比較して、より厚い肉厚部分を有する媒体に対応可能となっている。ただし、支持面７の一部を他の面より薄くして調整部８とする構成してもよく、この場合は、薄くした支持面７の部分が底部となる。
【００３２】
陥没部１１は貫通していても底部を有していても何れでもよいが、陥没部１１の少なくとも一部が貫通していると、媒体の肉厚部分の厚みの大小に関わらず、支持面７に支持された媒体の盛り上がりを抑制することが可能になる。
【００３３】
一方、陥没部１１の少なくとも一部が底部を有していると、媒体の肉厚部分を該底部により支持することができ、媒体の支持安定性を向上することができる。
【００３４】
次に、陥没部１１の大きさを調整可能な調整部８について詳細に説明する。  
図６及び図７は媒体支持ユニット２から取り外した状態の調整部８の概略斜視図であり、図６は調整部８を斜め上方から見た図であり、図７は調整部８を斜め下方から見た図である。また、図８は媒体支持ユニット２から取り外した状態の調整部８の概略側面図である。また、図９は、媒体支持ユニット２に調整部８を取り付けた状態における媒体支持ユニット２の概略側面断面図を表している。また、図１０は、媒体支持ユニット２における調整部８の取り付け部分の概略平面図を表している。
【００３５】
図３から図５及び図９で表されるように、本実施例の調整部８は、媒体支持ユニット２に取り付け可能である。また、図６から図８で表されるように、本実施例の調整部８は、媒体支持ユニット２から取り外し可能である。このような構成により、本実施例の調整部８は、媒体支持ユニット２の陥没部１１に対して取り付け及び取り外しすることにより、陥没部１１の大きさを調整可能である。このように、調整部８を媒体支持ユニット２に脱着可能にすることで、陥没部１１を大きくする際に、調整部８を取り外して媒体支持ユニット２を軽量化できる構成としている。
【００３６】
ただし、このような構成に限定されない。例えば、調整部８を媒体支持ユニット２の陥没部１１に対して取り付け及び取り外しする構成とするのではなく、該陥没部１１に対する位置を変更する（移動させる）ことにより、陥没部１１の大きさを調整可能にする構成としてもよい。このような構成であれば、陥没部１１を大きくする際、調整部８を取り外さなくてすむので、調整部８の設置スペースを設ける必要が無くなる。さらに、調整部８を紛失する可能性を低減することができる。
【００３７】
また、本実施例の調整部８は、図６から図９で表されるように、ステージ５に設けられた載置面１９（図９参照）に載置可能な載置部１４と、載置面１９に設けられた孔部１５（図４参照）に対してその一部を差し込む差し込み部１３と、を備えている。  
また、ステージ５に設けられた孔部１５を表す図１０で表されるように、孔部１５には、差し込み部１３を挿入可能な大径部分１７と、差し込み部１３に設けられた小径差し込み部１６（図７から図９参照）を嵌めこむことが可能な小径部分１８と、が設けられている。  
そして、調整部８をステージ５に固定する際、図４及び図９で表されるように、差し込み部１３の一部を孔部１５の大径部分１７に差し込み方向Ｄに移動させることで差し込み部１３の小径差し込み部１６を孔部１５の小径部分１８に嵌めこむ。そして、調整部８のステージ５への固定は、ユーザーが載置部１４に設けられた固定部２１（図６及び図７参照）をネジ２２（図９参照）でステージ５に固定することによりなされる。  
なお、図９における小径差し込み部１６の上下方向の長さはステージ５の載置面１９の構成部材の厚さよりも大きく構成されており、小径差し込み部１６と載置面１９の構成部材とでギャップが生じている。こうして、調整部８を媒体支持ユニット２に取り付ける際に取り付けやすくなっている。
【００３８】
なお、図９で表されるように、調整部８には、調整部８を媒体支持ユニット２に取り付けた際に調整部８の表面となる調整面２０が設けられている。調整面２０は、調整部８が取り付けられた際に、媒体を支持する面となる。つまり、調整面２０は第３の支持面であるとも言える。調整面２０は、調整部８を媒体支持ユニット２に取り付けた際にトレイ４の支持面７よりも下側に位置するよう構成されている。これは、調整面２０に支持された部分において媒体が記録ヘッドと接触することを抑制するためである。このような構成に限定はされないが、媒体と記録ヘッドとの接触を抑制するために、調整面２０が支持面７と面一か、本実施例のように調整面２０が支持面７に対して凹んだ位置になるように構成されることが好ましい。  
また、本実施例のような媒体支持ユニット２への調整部８の取り付け構成及び固定構成には限定されず、例えば、磁石や面ファスナーなどを用いて媒体支持ユニット２に調整部８を取り付ける構成や固定する構成を使用することもできる。
【００３９】
［実施例２］（図１１）  
次に、本発明の実施例２に係る媒体支持ユニット２について説明する。なお、実施例１と共通する構成部材は同じ符号で示しており、詳細な説明は省略する。  
図１１は、本発明の実施例２に係る媒体支持ユニット２の概略平面図である。  
本実施例の媒体支持ユニット２は、陥没部１１の大きさを調整可能な調整部８の構成以外は実施例１の媒体支持ユニット２と同様の構成である。
【００４０】
図１１で表されるように、本実施例の調整部８は、第１の調整ユニット８ａと第２の調整ユニット８ｂとを有している。換言すれば、調整部８は、複数の調整ユニットを有している。このため、第１の調整ユニット８ａ及び第２の調整ユニット８ｂの複数の調整ユニットにより、簡単に陥没部１１の大きさを複数の大きさに調整可能であり、様々な大きさの肉厚部分に対応可能である。
【００４１】
なお、本実施例の調整部８は、第１の調整ユニット８ａ及び第２の調整ユニット８ｂの両方又は一方を使用することにより陥没部１１の大きさを調整可能である。また、大きさ及び形状の異なる第１の調整ユニット８ａ及び第２の調整ユニット８ｂの一方を選択して使用することにより陥没部１１の大きさを調整することも可能である。なお、調整部８は、３つ以上の調整ユニットを有する構成であってもよい。  
図１１で表されるように、本実施例の調整部８は、第１の調整ユニット８ａと第２の調整ユニット８ｂとは、大きさ及び形状が異なる。このように、少なくとも大きさ又は形状の異なる複数の調整ユニットを備えることで、例えば、肉厚部分の形状や大きさに合せて、第１の調整ユニット８ａ及び第２の調整ユニット８ｂの一方を選択して使用することにより、簡単に陥没部１１の大きさを適正な大きさに調整可能である。ただし、複数の調整ユニットがある場合に、大きさ及び形状が同じ調整ユニットを複数用いてもよい。また、大きさ（媒体を支持する部分の面積）が同じで形状（媒体を支持する部分の平面視における形）が異なる調整ユニットを組み合わせて用いてもよい。また、形状が同じで、大きさが異なる調整ユニットを組み合わせて用いてもよい。調整ユニットの形状は、多角形や丸、衣服の特定部分のデザインに合わせた形など、種々の形状を用いることができる。
【００４２】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４３】
本発明の第１の態様の媒体支持ユニット２は、媒体を支持可能な支持面７と、支持面７に支持される前記媒体の一部を支持面７に対して陥没させることが可能な陥没部１１と、陥没部１１の大きさを、該陥没部１１における第１の領域１１ａの状態を変更することで、調整可能な調整部８と、を備えることを特徴とする。
【００４４】
本態様によれば、陥没部１１の大きさを調整可能な調整部８を備える。このため、肉厚部分を備える媒体の肉厚部分の大きさや形状に応じて、支持面７に支持された媒体の盛り上がりを抑制することができる。  
なお、「肉厚部分」とは、媒体における他の部分と比べて厚みの大きい部分を意味し、例えば、媒体が衣服である場合においては、ポケットやボタンが構成された部分や、生地の折り返し部分などが該当する。
【００４５】
本発明の第２の態様の媒体支持ユニット２は、前記第１の態様において、陥没部１１は、調整部８により状態を変更可能な第１の領域１１ａと、調整部８により状態を変更不能な第２の領域１１ｂと、を有することを特徴とする。
【００４６】
本態様によれば、陥没部１１は、調整部８により状態を変更不能な第２の領域１１ｂを有する。すなわち、陥没部１１は、常に媒体の一部を支持面７に対して陥没させることが可能な第２の領域１１ｂを有する。このため、ポロシャツなどの形状がある程度限定されている媒体を支持する際、該媒体の肉厚部分を第２の領域１１ｂに対応させるなどすることで、媒体の支持位置及び該媒体に記録を行う場合等における記録位置などを簡単に合わせることができる。
【００４７】
本発明の第３の態様の媒体支持ユニット２は、前記第２の態様において、陥没部１１は、第１の領域１１ａと第２の領域１１ｂとが連続して形成されていることを特徴とする。
【００４８】
本態様によれば、陥没部１１は第１の領域１１ａと第２の領域１１ｂとが連続して形成されている。このため、常に媒体を陥没させることが可能な第２の領域１１ｂに連続して第１の領域１１ａも媒体を陥没させることが可能な状態とすることで、連続した大きな肉厚部分に対応可能である。
【００４９】
本発明の第４の態様の媒体支持ユニット２は、前記第１から第３のいずれか１つの態様において、支持面７は、第１の支持面７ａと、第１の支持面７ａと離間した第２の支持面７ｂと、を有し、陥没部１１は、第１の支持面７ａと第２の支持面７ｂとの間に形成されていることを特徴とする。
【００５０】
本態様によれば、支持面７は第１の支持面７ａと第２の支持面７ｂとを有し、陥没部１１は第１の支持面７ａと第２の支持面７ｂとの間に形成されている。このため、陥没部１１を第１の支持面７ａと第２の支持面７ｂとの間に大きく形成できるので、連続した大きな肉厚部分に対応可能である。
【００５１】
本発明の第５の態様の媒体支持ユニット２は、前記第１から第４のいずれか１つの態様において、調整部８は、陥没部１１の大きさを複数の大きさに変更可能であることを特徴とする。
【００５２】
本態様によれば、調整部８は陥没部１１の大きさを複数の大きさに変更可能である。このため、様々な大きさの肉厚部分に対応可能である。
【００５３】
本発明の第６の態様の媒体支持ユニット２は、前記第５の態様において、調整部８は、第１の調整ユニット８ａと第２の調整ユニット８ｂとを有することを特徴とする。
【００５４】
本態様によれば、調整部８は第１の調整ユニット８ａと第２の調整ユニット８ｂとを有する。すなわち、複数の調整部８ａ及び８ｂを有する。このため、複数の調整部８ａ及び８ｂにより簡単に陥没部１１の大きさを複数の大きさに調整可能である。  
なお、第１の調整ユニット８ａ及び第２の調整ユニット８ｂの両方又は一方を使用することにより陥没部１１の大きさを調整する構成と、大きさや形状の異なる第１の調整ユニット８ａ及び第２の調整ユニット８ｂの一方を選択して使用することにより陥没部１１の大きさを調整する構成との、何れであってもよい。
【００５５】
本発明の第７の態様の媒体支持ユニット２は、前記第６の態様において、第１の調整ユニット８ａと第２の調整ユニット８ｂとは、少なくとも大きさ又は形状が異なることを特徴とする。
【００５６】
本態様によれば、第１の調整ユニット８ａと第２の調整ユニット８ｂとは、少なくとも大きさ又は形状が異なる。このため、例えば、肉厚部分の形状や大きさに合せて、第１の調整ユニット８ａ及び第２の調整ユニット８ｂの一方を選択して使用することにより、簡単に陥没部１１の大きさを適正な大きさに調整可能である。
【００５７】
本発明の第８の態様の媒体支持ユニット２は、前記第１から第７のいずれか１つの態様において、調整部８は、陥没部１１に対して取り付け及び取り外しすることにより、陥没部１１の大きさを調整可能であることを特徴とする。
【００５８】
本態様によれば、調整部８は、陥没部１１に対して取り付け及び取り外しすることにより、陥没部１１の大きさを調整可能である。このため、陥没部１１を大きくする際、調整部８を取り外しできるので媒体支持ユニット２を軽量化できる。
【００５９】
本発明の第９の態様の媒体支持ユニット２は、前記第１から第７のいずれか１つの態様において、調整部８は、陥没部１１に対する位置を変更することにより、陥没部１１の大きさを調整可能であることを特徴とする。
【００６０】
本態様によれば、調整部８は、陥没部１１に対する位置を変更することにより、陥没部１１の大きさを調整可能である。このため、陥没部１１を大きくする際、調整部８を取り外ししなくてすむので、調整部８の設置スペースを設ける必要が無くなるとともに調整部８を紛失する可能性を低減できる。
【００６１】
本発明の第１０の態様の媒体支持ユニット２は、前記第１から第９のいずれか１つの態様において、陥没部１１の少なくとも一部は、貫通していることを特徴とする。
【００６２】
本態様によれば、陥没部１１の少なくとも一部は貫通している。このため、媒体の肉厚部分の厚みの大小に関わらず、支持面７に支持された媒体の盛り上がりを抑制することが可能である。
【００６３】
本発明の第１１の態様の媒体支持ユニット２は、前記第１から第９のいずれか１つの態様において、陥没部１１の少なくとも一部は、底部を有することを特徴とする。
【００６４】
本態様によれば、陥没部１１の少なくとも一部は底部を有する。このため、媒体の肉厚部分を支持することができ、媒体の支持安定性を向上することができる。
【００６５】
本発明の第１２の態様の媒体支持ユニット２は、前記第１から第１１のいずれか１つの態様において、陥没部１１は、前記媒体が衣服である場合に、衣服の肉厚部分を陥没させることが可能に構成されていることを特徴とする。
【００６６】
本態様によれば、陥没部１１は、媒体が衣服である場合に、衣服の肉厚部分を陥没させることが可能に構成されている。このため、襟、ボタン、ジッパー、ポケット及び生地の折り返しなどの肉厚部分を有する衣服を媒体として用いても、該肉厚部分に対応する媒体の盛り上がりを抑制することが可能である。
【００６７】
本発明の第１３の態様の記録装置１は、前記第１から第１２のいずれか１つの態様の媒体支持ユニット２と、媒体支持ユニット２に支持された前記媒体に記録可能な記録部と、を備えることを特徴とする。
【００６８】
本態様によれば、肉厚部分を備える媒体の肉厚部分の大きさや形状に応じて、支持面７に支持された媒体の盛り上がりを抑制し、該盛り上がりが抑制された媒体に記録することができる。
【００６９】
本発明の第１４の態様の媒体支持方法は、媒体を支持可能な支持面７と、支持面７に支持される前記媒体の一部を支持面７に対して陥没させることが可能な陥没部１１と、を備える媒体支持ユニット２における媒体支持方法であって、前記媒体に応じて、該陥没部１１における第１の領域１１ａの状態を変更することで、陥没部１１の大きさを変更することを特徴とする。
【００７０】
本態様によれば、媒体に応じて陥没部１１の大きさを変更する。このため、肉厚部分を備える媒体の肉厚部分の大きさや形状に応じて、支持面７に支持された媒体の盛り上がりを抑制することができる。
【符号の説明】
【００７１】
１  記録装置、２  媒体支持ユニット、３  媒体搬送部、４  トレイ、５  ステージ、
６  回転レバー、７  支持面、８  調整部、９  外枠部、１０  脚部、１１  陥没部、
１２  切欠き部、１３  差し込み部、１４  載置部、１５  孔部、
１６  小径差し込み部、１７  大径部分、１８  小径部分、１９  載置面、
２０  調整面、２１  固定部、２２  ネジ
【図１】
0006507585.tif 000002
【図２】
0006507585.tif 000003
【図３】
0006507585.tif 000004
【図４】
0006507585.tif 000005
【図５】
0006507585.tif 000006
【図６】
0006507585.tif 000007
【図７】
0006507585.tif 000008
【図８】
0006507585.tif 000009
【図９】
0006507585.tif 000010
【図１０】
0006507585.tif 000011
【図１１】
0006507585.tif 000012